(57)【要約】      （修正有）【課題】現在の発電法で利用する動力源の課題において，燃料エネルギー発電法は燃料が必要であることが課題であり，自然エネルギー発電法は自然エネルギーが必要であることおよび自然エネルギーが気候または気象条件に左右されるため発電量が不安定であることが課題である。燃料エネルギーと自然エネルギーを必要としないで安定した発電量を確保することが可能とする発電法を提供する。【解決手段】発電の手段の動力源に，外部電源の手段１からの電気を利用して発電しようとする手法である。この発電の手段は，電気式原動機３と内部の発電の手段３１で構成されており，動力源である外部電源の手段から供給された電気を利用して，電気で作動する電気式原動機で動力３５を生じさせ，この動力と内部の発電の手段から供給電気３８を発電させようとするものである。【選択図】図１
2014033597.tif 000002
【特許請求の範囲】
【請求項１】
請求事項は，技術思想物である「電気エネルギー発電法とは，発電の手段の動力源に電気を利用して発電しようとする手法である」の所有権の公認と所有権行使の特許．
【請求項２】
請求事項は，技術思想物である「循環式電気エネルギー発電法とは，発電の手段の動力源に前記の発電の手段と同一の発電の手段で発電した電気を利用して発電しようとする手法である」の所有権の公認と所有権行使の特許．
【発明の詳細な説明】
動力源に電気を利用する電気エネルギー発電技術
この技術思想は，動力源に電気エネルギーを利用する電気エネルギー発電法に関するものである．
現在利用されている発電法には，燃料から得られる熱エネルギーを利用する燃料エネルギー発電法と自然界に存在する放射エネルギーまたは運動エネルギーを利用する自然エネルギー発電法の２種類に大別できます．燃料エネルギー発電法には，動力源に重油，石炭，天然ガスを利用する火力発電法と核燃料を利用する原子力発電法があり，自然エネルギー発電法には，動力源に太陽放射エネルギーを利用する太陽光発電法，風の運動エネルギーを利用する風力発電法と流水の運動エネルギーを利用する水力発電法があります．
この２種類の発電法で利用する動力源の課題において，燃料エネルギー発電法は燃料が必要であることが課題であり，自然エネルギー発電法は自然エネルギーが必要であることおよび自然エネルギーが気候または気象条件に左右されるため発電量が不安定であることが課題である．
この動力源の課題を解決しようとする発電法が動力源に電気を利用する電気エネルギー発電法である．まず第１の発電法として，発電の手段の動力源に電気を利用して発電しようとする手法の電気エネルギー発電法があります．次に，第２の発電法として，発電の手段の動力源に前記の発電の手段と同一の発電の手段で発電した電気を利用して発電しようとする手法の循環式電気エネルギー発電法があります．
この第１と第２の電気エネルギー発電法により，燃料エネルギーと自然エネルギーを必要としないで安定した発電量を確保することが可能となります．
次に実施例を通じて第１の電気エネルギー発電法および第２の循環式電気エネルギー発電法の具体的な概要を説明します．
【実施例１】  実施例１は，第１の電気エネルギー発電法に基づいた発電の手段（図１）である．この発電法は，発電の手段の動力源に，外部電源の手段（１）からの電気を利用して発電しようとする手法である．この発電の手段は，電気式原動機（３）と内部の発電の手段（３１）で構成されており，動力源である外部電源の手段から供給された電気を利用して，電気で作動する電気式原動機で動力（３５）を生じさせ，この動力と内部の発電の手段から供給電気（３８）を発電させようとするものである．
【実施例２】  実施例２は，第２の循環式電気エネルギー発電法に基づいた発電の手段（図２）である．この発電法は，発電の手段の動力源に，前記の発電の手段と同一の発電の手段（２，３，３１，３２）における電気式原動機（３）と内部の発電の手段（３１）で発電した電気（３６）を，電気を分ける手段（３２）で分けることで得た電気である復源電気（３７）を利用して発電しようとする手法である．この発電の手段は，起動の手段（２），電気式原動機（３），内部の発電の手段（３１）および電気を分ける手段（３２）によって構成されており，動力源である復源電気を利用して，電気で作動する電気式原動機で動力（３５）を生じさせ，この動力と内部の発電の手段で発電させた電気（３６）を，電気を分ける手段を利用して復源電気と供給電気（３８）に分電しながら供給電気を得ようとするものである．
起動の手段は，停止している電気式原動機を起動させるための電源である．
【実施例３】  実施例３は，第２の循環式電気エネルギー発電法に基づいた発電の手段（図３）である．この発電法は，発電の手段の動力源に，前記の発電の手段と同一の発電の手段（２，３，３３，３４）における電気式原動機（３）と動力源専用発電の手段（３３）で発電した電気である復源電気（３７）を利用して発電しようとする手法である．この発電の手段は，起動の手段（２），電気式原動機（３），動力源専用発電の手段（３３）および供給専用発電の手段（３４）で構成されており，動力源である復源電気を利用して，電気で作動する電気式原動機で動力源専用発電の手段と供給専用発電の手段で利用する動力（３５）を生じさせ，この動力と動力源専用発電の手段で発電した電気を復源電気とすると共に，この動力と供給専用発電の手段で発電した電気から供給電気（３８）を得ようとするものである．
起動の手段は，実施例２の記載と同様である．
【用語の定義と符号】
（１）外部電源の手段：電気式原動機（３）へ電気を供給することのできる電源である．      実施例としては，一般コンセント・発電装置・蓄電池がある．
（２）起動の手段：実施例としては，発電装置・蓄電池がある．
（３）電気式原動機：電気を動力源として発電に必要な動力（３５）を生じさせることが      できるものである．実施例としては，電磁力型電気式原動機（図４），蒸気力型電      気式原動機（図５），水力型電気式原動機（図７），風力型電気式原動機（図８）      がある．
（４）電磁力型電気式原動機（図４）：外部電源の手段（１）または起動の手段（２）か      らの電気若しくは復源電気（３７）を動力源として，電流と磁力で生じるローレン      ツ力から動力（３５）を生じさせることができるものである．実施例としては，駆      動用モーターがある．
（５）蒸気力型電気式原動機（図５）：外部電源の手段（１）または起動の手段（２）か      らの電気若しくは復源電気（３７）を動力源として，電気で作動する蒸気流発生装      置（８）からの蒸気流（９）をタービン（１０）に作用させることで，動力（３５      ）を生じさせることができるものである．またタービンで利用し終えた蒸気（１１      ）は，復水器（１２）で蒸気流発生装置で再利用する水（１３）にします．
前記の蒸気流発生装置（図６）とは，高温高圧に耐えることのできる高圧タンク      （１６）の内部に，蒸気を発生させる部分（１４）と蒸気を加圧させる部分（１５      ）を設け，蒸気を発生させる部分で発生させた蒸気を，蒸気を加圧させる部分で加      圧することで蒸気流（９）を発生させることができるものである．蒸気を発生させ      る部分とは，復水器から蒸気流発生装置内に送られてきた水（１３）を電気で動作      する加熱の手段（１７）による加熱によって蒸気を発生させることができる部分で      ある．次に蒸気を加圧させる部分とは，蒸気を発生させる部分で発生した蒸気を電      気で動作する加熱の手段（１８）による加熱によって加圧させる部分であり，加圧      された蒸気は，高圧タンクの外に蒸気流（９）を発生させます．
前記の電気で動作する加熱の手段（１７，１８）とは，電熱線を利用した加熱の      手段，加熱性電磁波であるマイクロ波を利用した加熱の手段，および電熱板に磁力      線を貫通させた時に流れる渦電流からのジュール熱を利用する加熱の手段の３種類      があります．
（６）水力型電気式原動機（図７）：外部電源の手段（１）または起動の手段（２）から      の電気若しくは復源電気（３７）を動力源として，電気で作動する水噴射装置（１      ９）からの噴射水（２０）の水圧を水車（２１）に作用させることで，動力（３５      ）を生じさせることができるものである．また水車で利用し終えた水（２２）は，      貯水層（２３）で貯水すると共に水噴射装置で利用する水（２４）とします．水噴      射装置の実施例には電気式ポンプがあります．
（７）風力型電気式原動機（図８）：外部電源の手段（１）または起動の手段（２）から      の電気若しくは復源電気（３７）を動力源として，電気で作動する気流発生装置（      ２５）からの高速気流（２６）による風圧をタービン（２７）に作用させることで      ，動力（３５）を生じさせることができるものである．
前記の気流発生装置（図９）とは，電気で作動する空気圧縮装置（２８）と高圧      に耐えることのできる高圧タンク（２９）で構成されたもので，高圧タンク内の空      気を空気圧縮装置で加圧（３０）することで，高圧タンクの外に高速気流（２６）      を発生させることができるものである．
（８）蒸気流発生装置
（９）蒸気流
（１０）タービン
（１１）蒸気
（１２）復水器
（１３）水
（１４）蒸気を発生させる部分
（１５）蒸気を加圧させる部分
（１６）高圧タンク
（１７）加熱の手段
（１８）加熱の手段
（１９）水噴射装置
（２０）噴射水
（２１）水車
（２２）水
（２３）貯水槽
（２４）水
（２５）気流発生装置
（２６）高速気流
（２７）タービン
（２８）空気圧縮装置
（２９）高圧タンク
（３０）加圧
（３１）内部の発電の手段：実施例としては，発電用モーターがある．
（３２）電気を分ける手段：実施例としては，変圧器がある．
（３３）動力源専用発電の手段：実施例としては，発電用モーターがある．
（３４）供給専用発電の手段：実施例としては，発電用モーターがある．
（３５）動力
（３６）電気
（３７）復源電気：発電の手段と同一の発電の手段で発電した動力源である電気．
（３８）供給電気：発電の成果である電気．
【図面の簡単な説明】
【図１】実施例１の電気エネルギー発電法に基づく発電の手段の構成概要図．
【図２】実施例２の循環式電気エネルギー発電法に基づく発電の手段の構成概要図．
【図３】実施例３の循環式電気エネルギー発電法に基づく発電の手段の構成概要図．
【図４】電磁力型電気式原動機の構成概要図．
【図５】蒸気力型電気式原動機の構成概要図．
【図６】蒸気流発生装置の構成概要図．
【図７】水力型電気式原動機の構成概要図．
【図８】風力型電気式原動機の構成概要図．
【図９】気流発生装置の構成概要図．
【図１】
2014033597.tif 000003
【図２】
2014033597.tif 000004
【図３】
2014033597.tif 000005
【図４】
2014033597.tif 000006
【図５】
2014033597.tif 000007
【図６】
2014033597.tif 000008
【図７】
2014033597.tif 000009
【図８】
2014033597.tif 000010
【図９】
2014033597.tif 000011